(57)【特許請求の範囲】
【請求項１】
テレビジョン信号が入力されるテレビジョン信号入力回路と、ＦＭ放送信号が入力されるＦＭ放送信号入力回路と、バンド切り換えのためのスイッチダイオードを有して、前記スイッチダイオードのオン又はオフによってＶＨＦ帯のハイバンドまたは前記ＦＭ放送信号を含むローバンドに同調するＶＨＦ入力同調回路とを備え、前記テレビジョン信号入力回路と前記ＶＨＦ入力同調回路との間に第一のスイッチダイオードを介挿すると共に、前記ＦＭ放送信号入力回路と前記ＶＨＦ入力同調回路との間に第二のスイッチダイオードを介挿し、前記バンド切り換えのためのスイッチダイオードのアノード又はカソードにバンド切り換え電圧を印加し、前記第一のスイッチダイオードのカソードと前記第二のスイッチダイオードのカソードとを互いに接続すると共に抵抗を介して接地し、前記第一のスイッチダイオードのアノードと前記バンド切り換えのためのスイッチダイオードのカソードとを互いに接続し、前記第二のスイッチダイオードのアノードには前記ＦＭ放送信号受信時にＦＭ切り換え電圧を印加したことを特徴とするテレビジョン信号受信チュ−ナ。
【請求項２】
前記第一のスイッチダイオ−ドのカソ−ドと前記第二のスイッチダイオ−ドのカソ−ドとの接続点と前記ＶＨＦ入力同調回路との間にテレビジョンの中間周波数帯を減衰する中間周波トラップ回路を設けたことを特徴とする請求項１に記載のテレビジョン信号受信チュ−ナ。
【発明の詳細な説明】
【０００１】
【発明の属する技術分野】
本発明は、テレビジョン信号受信チュ−ナに関し、詳しくは、車載用あるいは、いわゆるパソコン（パ−ソナルコンピュ−タ−）用として使用され、ＦＭ放送信号も受信できるようにした米国仕様のテレビジョン信号受信チュ−ナの入力回路部に関する。
【０００２】
【従来の技術】
従来の、米国仕様のテレビジョン信号受信チュ−ナ（以下単にチュ−ナという）を図４および図５に従って説明する。図４は従来のチュ−ナの入力回路部を示し、図５は図４に示す入力回路部の一部の選択度特性を示す。先ず、図４において、入力端子５１とＶＨＦ高周波増幅回路５２との間には、並列型の誘導Ｍ型ハイパスフィルタ５３、定Ｋ型ハイパスフィルタ５４、直列型の誘導Ｍ型ハイパスフィルタ５５、並列トラップ回路５６、ＶＨＦ入力同調回路５７が順次直列に接続されてＶＨＦ入力回路部が構成されている。また、入力端子５１にはＵＨＦ入力同調回路（図示せず）等を含むＵＨＦ入力回路部５８が接続されている。
【０００３】
並列型の誘導Ｍ型ハイパスフィルタ５３は、互いに並列接続された第一のインダクタ５９および第一のコンデンサ６０と、シャントインダクタ６１とから構成され、第一のインダクタ５９および第一のコンデンサ６０の各一端が入力端子５１に接続され、それらの各他端がシャントインダクタ６１を介して接地されている。そして、この並列型の誘導Ｍ型ハイパスフィルタ５３のカットオフ周波数はほぼ５４ＭＨｚに、また、第一のインダクタ５９と第一のコンデンサ６０とによる並列共振周波数はほぼ４１ＭＨｚに設定されている。
また、定Ｋ型ハイパスフィルタ５４は、シャントインダクタ６１とこのシャントインダクタ６１の一端にその一端が接続された直列コンデンサ６２とから構成され、そのカットオフ周波数もほぼ５４ＭＨｚに設定されている。従って、シャントインダクタ６１は、並列型の誘導Ｍ型ハイパスフィルタ５３と定Ｋ型ハイパスフィルタ５４とに共用されていることになる。
【０００４】
直列型の誘導Ｍ型ハイパスフィルタ５５は、直列コンデンサ６２と、互いに直列接続されるとともに、この直列コンデンサ６２の他端とグランドとの間に接続された第二のインダクタ６３および第二のコンデンサ６４とから構成され、そのカットオフ周波数はほぼ５４ＭＨｚに、また、直列接続された第二のインダクタ６３と第二のコンデンサ６４との直列共振周波数がほぼ２６ＭＨｚに設定されている。
【０００５】
さらに、並列トラップ回路５６は、互いに並列接続された第三のインダクタ６５と第三のコンデンサ６６とで構成され、第二のインダクタ６５と第二のコンデンサ６６とによる並列共振周波数はほぼ４６ＭＨｚに設定されている。
【０００６】
そして、並列型の誘導Ｍ型ハイパスフィルタ５３、定Ｋ型ハイパスフィルタ５４、直列型の誘導Ｍ型ハイパスフィルタ５５、並列トラップ回路５６とによって、図５に示すように、ほぼ５４ＭＨｚ以上の周波数帯を通過するとともに５４ＭＨｚ以下の周波数で急峻に減衰させ、特にテレビジョンの中間周波帯（米国仕様ではほぼ４１ＭＨｚ〜４６ＭＨｚ）と、トランシ−バ−で使用している市民バンド（２６ＭＨｚ）での減衰をおよそ５５ｄＢ以上と大きくしている。これによって、テレビジョンの中間周波数帯の妨害信号と市民バンドの妨害信号がＶＨＦ入力同調回路５７、ＶＨＦ高周波増幅回路５２等に入力されないようにしている。
【０００７】
また、ＶＨＦ入力同調回路５７は、四個の同調インダクタ６７、６８、６９、７０とバラクタダイオ−ド７１とで構成され、バラクタダイオ−ド７１の容量値を変えることによってその同調周波数が変えられるようになっている。このＶＨＦ入力同調回路５７においては、同調インダクタ６７、６８、６９、バラクタダイオ−ド７１がπ型に接続されており、同調インダクタ６７の一端が直流阻止コンデンサ７２で接地され、また、バラクタダイオ−ド７１の一端（アノ−ド）が接地されている。そして同調インダクタ６７と同調インダクタ６８との接続点が、直流阻止コンデンサ７３と結合インダクタ７４とを直列に介して並列トラップ回路５６に接続され、同調インダクタ６９とバラクタダイオ−ド７１の他端（カソ−ド）との接続点が結合コンデンサ７５を介してＶＨＦ高周波増幅回路５２に接続されている。また、同調インダクタ６７には、各両端にそれぞれ接続されたスイッチダイオ−ド７６、７７を介して同調インダクタ７０が並列接続されるようになっている。
【０００８】
さらに、スイッチダイオ−ド７６、７７のそれぞれのアノ−ドが抵抗７８を介してハイバンド切り替え端子７９に接続されるとともに、それぞれのカソ−ドが抵抗８０を介してロ−バンド切り替え端子８１に接続され、また、バラクタダイオ−ド７１の他端（カソ−ド）が、同調インダクタ６９、抵抗８２を介して同調電圧端子８３に接続されている。
【０００９】
そして、ハイバンドのテレビジョン信号を受信するときは、ハイバンド切り替え端子７９にハイバンド切り替え電圧を印加（この時はロ−バンド切り替え端子８１にはロ−バンド切り替え電圧を印加せず）してスイッチダイオ−ド７６、７７を導通状態として同調インダクタ６７と同調インダクタ７０とを高周波的に並列に接続し、ＶＨＦ入力同調回路５７の同調周波数を高くする。また、ロ−バンドのテレビジョン信号を受信するときは、ロ−バンド切り替え端子８１にロ−バンド切り替え電圧を印加（この時はハイバンド切り換え端子７９にはハイバンド切り替え電圧を印加せず）してスイッチダイオ−ド７６、７７を非導通状態として同調インダクタ６７から同調インダクタ７０を高周波的に切り離して、ＶＨＦ入力同調回路５７の同調周波数を低くする。そして、同調電圧端子８３からの同調電圧によってバラクタダイオ−ド７１の容量値が変えられ、５４ＭＨ以上の周波数に割り当てられたロ−バンドおよびハイバンドの各チャンネルのテレビジョン信号の周波数に同調可能なようになっている。
【００１０】
また、図示はしないが、ＶＨＦ高周波増幅器５２の後段には混合回路、局部発振回路、等が接続されている。そして、ＶＨＦ高周波増幅回路５２から出力されるテレビジョン信号が混合回路で中間周波数に周波数変換される。
【００１１】
【発明が解決しようとする課題】
このような従来のチュ−ナは、車載用として用いられる場合は、例えばカ−ナビゲ−ションシステムに組み込まれるが、ＦＭ放送を受信することができなかった。従って、ＦＭ放送を受信するには別途ＦＭ受信機またはＦＭチュ−ナ等を組み込まなければならず、そのために、カ−ナビゲ−ションシステムが複雑になり小型化と低価格化が図れなかった。
【００１２】
また、最近は、チュ−ナをパソコンに搭載し、パソコンのディスプレイにテレビジョンの映像を映し出したり、文字多重放送の文字を表示することが考えられているが、従来のチュ−ナではＦＭ放送を受信することができなかったので、ＦＭ放送における文字多重放送の文字の表示ができなかった。
【００１３】
そこで、本発明の目的は、テレビジョン信号受信チュ−ナで簡単にＦＭ放送信号を受信できるようにし、さらに、テレビジョン信号あるいはＦＭ放送信号の受信時に他の妨害信号の影響を受けないようにするものである。
【００１４】
【課題を解決するための手段】
上記課題を解決するため、本発明のテレビジョン信号受信チュ−ナは、テレビジョン信号が入力されるテレビジョン信号入力回路と、ＦＭ放送信号が入力されるＦＭ放送信号入力回路と、バンド切り換えのためのスイッチダイオードを有して、前記スイッチダイオードのオン又はオフによってＶＨＦ帯のハイバンドまたは前記ＦＭ放送信号を含むローバンドに同調するＶＨＦ入力同調回路とを備え、前記テレビジョン信号入力回路と前記ＶＨＦ入力同調回路との間に第一のスイッチダイオードを介挿すると共に、前記ＦＭ放送信号入力回路と前記ＶＨＦ入力同調回路との間に第二のスイッチダイオードを介挿し、前記バンド切り換えのためのスイッチダイオードのアノード又はカソードにバンド切り換え電圧を印加し、前記第一のスイッチダイオードのカソードと前記第二のスイッチダイオードのカソードとを互いに接続すると共に抵抗を介して接地し、前記第一のスイッチダイオードのアノードと前記バンド切り換えのためのスイッチダイオードのカソードとを互いに接続し、前記第二のスイッチダイオードのアノードには前記ＦＭ放送信号受信時にＦＭ切り換え電圧を印加した。
ことを特徴とするテレビジョン信号受信チュ−ナ。
【００１５】
また、本発明のテレビジョン信号受信チュ−ナは、前記第一のスイッチダイオ−ドのカソ−ドと前記第二のスイッチダイオ−ドのカソ−ドとの接続点と前記ＶＨＦ入力同調回路との間にテレビジョンの中間周波数帯を減衰する中間周波トラップ回路を設けた。
【００１６】
【発明の実施の形態】
本発明のテレビジョン信号受信チュ−ナを図１乃至図３に従って説明する。図１は本発明のテレビジョン信号受信チュ−ナの入力回路部を示し、図２は図１に示す入力回路部の一部におけるテレビジョン信号の受信時での選択度特性を示し、図３は、図１に示す入力回路部の一部におけるＦＭ放送信号の受信時での選択度特性を示す。先ず、図１において、テレビジョン信号（あるいはＣＡＴＶ信号）が入力される第一の入力端子１とＶＨＦ高周波増幅回路２との間には、並列型の誘導Ｍ型ハイパスフィルタ３、第一の定Ｋ型ハイパスフィルタ４、第一の直列型の誘導Ｍ型ハイパスフィルタ５、並列トラップ回路６、ＶＨＦ入力同調回路７が順次直列に接続されている。また、第一の入力端子１には、図示しないＵＨＦ入力同調回路等を含むＵＨＦ入力回路８が接続されている。
一方、ＦＭ放送信号が入力される第二の入力端子９と並列トラップ回路６との間には、第二の定Ｋ型ハイパスフィルタ１０と第二の直列型の誘導Ｍ型ハイパスフィルタ１１とが直列に接続されている。
【００１７】
並列型の誘導Ｍ型ハイパスフィルタ３は、互いに並列接続された第一のインダクタ１２および第一のコンデンサ１３とからなる第一の中間周波トラップ回路１４と、第一のシャントインダクタ１５とから構成され、第一の中間周波トラップ回路１４の一端（第一のインダクタ１２および第一のコンデンサ１３の各一端）が第一の入力端子１に接続され、その他端が第一のシャントインダクタ１５を介して接地されている。そして、この並列型の誘導Ｍ型ハイパスフィルタ３のカットオフ周波数はほぼ５４ＭＨｚに、また、第一中間周波トラップ回路１４のトラップ周波数（第一のインダクタ１２と第一のコンデンサ１３とによる並列共振周波数）は米国仕様のテレビジョンの中間周波数帯であるほぼ４１ＭＨｚに設定されている。
また、第一の定Ｋ型ハイパスフィルタ４は、第一のシャントインダクタ１５とこの第一のシャントインダクタ１５の一端にその一端が接続された第一の直列コンデンサ１６とから構成され、そのカットオフ周波数もほぼ５４ＭＨｚに設定されている。従って、第一のシャントインダクタ１５は、並列型の誘導Ｍ型ハイパスフィルタ３と第一の定Ｋ型ハイパスフィルタ４とに共用されていることになる。
【００１８】
直列型の誘導Ｍ型ハイパスフィルタ５は、第一の直列コンデンサ１６と、この第一の直列コンデンサ１６の他端とグランドとの間に直列接続されたインダクタ１７およびコンデンサ１８とから構成されている。この直列型の誘導Ｍ型ハイパスフィルタ５のカットオフ周波数もほぼ５４ＭＨｚに、また、直列接続されたインダクタ１７とコンデンサ１８との直列共振周波数はトランシ−バ−で仕様している市民バンドの２６ＭＨｚに設定されている。従って、第一の直列コンデンサ１６は第一の定Ｋ型ハイパスフィルタ４と直列型の誘導Ｍ型ハイパスフィルタ５とに共用されている。
そして、並列型の誘導Ｍ型ハイパスフィルタ３、第一の定Ｋ型ハイパスフィルタ４、直列型の誘導Ｍ型ハイパスフィルタ５とによりテレビジョン信号入力回路１９が構成されている。
【００１９】
一方、第二の定Ｋ型ハイパスフィルタ１０は、第二のシャントインダクタ２０と第二の直列コンデンサ２１とで構成され第二のシャントインダクタ２０と第二の直列コンデンサ２１との接続点が第二の入力端子９に接続されている。そして、この第二の定Ｋ型ハイパスフィルタ１０のカットオフ周波数は、ほぼ８５ＭＨｚに設定されている。また、第二の直列型の誘導Ｍ型ハイパスフィルタ１１は、互いに直列接続された第二のインダクタ２２および第二のコンデンサ２３とからなる直列トラップ回路２４と、第二の直列コンデンサ２１とによって構成され、そのカットオフ周波数もほぼ８５ＭＨｚに設定され、直列トラップ回路２４のトラップ周波数（第二のインダクタ２２と第二のコンデンサ２３とによる直列共振周波数）は米国仕様のテレビジョンのロ−バンドの周波数であるほぼ７５ＭＨに設定されている。ここで、第二の定Ｋ型ハイパスフィルタ１０と第二の直列型の誘導Ｍ型ハイパスフィルタ１１とによってＦＭ放送信号入力回路２５が構成されている。
【００２０】
そして、テレビジョン信号入力回路１９の出力端である第一の直列コンデンサ１６とインダクタ１７との接続点と、ＦＭ放送信号入力回路２５の出力端である第二の直列コンデンサ２１と第二のインダクタ２２との接続点とは、それぞれ第一のスイッチダイオ−ド２６、第二のスイッチダイオ−ド２７を介して並列トラップ回路６に接続されている。ここで、並列トラップ回路６は第三のインダクタ２８と第三のコンデンサ２９との並列共振回路構成され、その並列共振周波数は米国仕様のテレビジョンの中間周波数帯であるほぼ４６ＭＨｚに設定されている。従って、この並列トラップ回路６は第二の中間周波トラップ回路となる。なお、第一のスイッチダイオ−ド２６のカソードと第二のスイッチダイオ−ド２７のカソードとは相互に接続されるとともに並列トラップ回路６（第二の中間周波トラップ回路）に接続され、その接続点は抵抗３０を介して第一の定Ｋ型ハイパスフィルタ４を構成する第一のシャントインダクタ１５と第一の直列コンデンサ１６との接続点に接続されている。さらに、第二のスイッチダイオ−ド２７のアノ−ドは第二のインダクタ２２、抵抗３１を介してＦＭ切り換え端子３２に接続されている。
【００２１】
ＶＨＦ入力同調回路７は、四個の同調インダクタ３３、３４、３５、３６とバラクタダイオ−ド３７とで構成され、バラクタダイオ−ド３７の容量値を変えることによってその同調周波数が変えられるようになっている。このＶＨＦ入力同調回路７においては、同調インダクタ３３、３４、３５、バラクタダイオ−ド３７がπ型に接続されており、同調インダクタ３３の一端が直流阻止コンデンサ３８で接地され、また、バラクタダイオ−ド３７の一端（アノ−ド）が接地されている。そして同調インダクタ３３と同調インダクタ３４との接続点が、直流阻止コンデンサ３９と結合インダクタ４０とを直列に介して並列トラップ回路６に接続され、同調インダクタ３５とバラクタダイオ−ド３７の他端（カソ−ド）が結合コンデンサ４１を介してＶＨＦ高周波増幅回路２に接続されている。また、同調インダクタ３３には、各両端にそれぞれ接続されたバンド切り換え用の第三のスイッチダイオ−ド４２、第四のスイッチダイオ−ド４３を介して同調インダクタ３６が並列接続されるようになっている。
【００２２】
第三のスイッチダイオ−ド４２と第四のスイッチダイオ−ド４３とは、それらのアノ−ドが同調インダクタ３３に、カソ−ドが同調インダクタ３６に接続されており、第三のスイッチダイオ−ド４２、第四のスイッチダイオ−ド４３のそれぞれのアノ−ドが抵抗４４を介してハイバンド切り替え端子４５に接続されるとともに、それぞれのカソ−ドが抵抗４６を介してロ−バンド切り替え端子４７に接続されている。そして、第三のスイッチダイオ−ド４２、第四のスイッチダイオ−ド４３のカソ−ドが抵抗５０と第一の直列型の誘導Ｍ型ハイパスフィルタ５を構成するインダクタ１７とを直列に介して第一のスイッチダイオ−ド２６のアノ−ドに接続されている。
【００２３】
このテレビジョン信号受信チュ−ナでは、ハイバンドまたはロ−バンドのテレビジョン信号を受信するときは、ＦＭ切り換え端子３２にはＦＭ切り換え電圧を印加せず、ハイバンド切り替え端子４５またはロ−バンド切り替え端子４７にハイバンド切り換え電圧またはロ−バンド切り換え電圧が印加される。これによって抵抗５０と第一の直列型の誘導Ｍ型ロ−パスフィルタ５を構成しているインダクタ１７を介して第一のスイッチダイオ−ド２６と抵抗３０と第一の定Ｋ型ハイパスフィルタ４を構成している第一のシャントインダクタ１５に電流が流れ、第一のスイッチダイオ−ド２６が導通状態となる。この時、第二のスイッチダイオ−ド２７のアノ−ドにはＦＭ切り換え電圧が印加されていないので、この第二のスイッチダイオ−ド２７に逆バイアス電圧が加わるので第二のスイッチダイオ−ド２７は非導通状態となる。従って、ＦＭ放送信号入力回路２５はテレビジョン信号入力回路１９およびＶＨＦ入力同調回路７から高周波的に切り離されることになる。
【００２４】
この結果、第一の入力端子１に入力されているテレビジョン信号は、並列型の誘導Ｍ型ハイパスフィルタ３、第一の定Ｋ型ハイパスフィルタ４、第一の直列型の誘導Ｍ型ハイパスフィルタ５、第一のスイッチダイオ−ド２６、並列トラップ回路６を介してＶＨＦ入力同調回路７に導入される。そして、第一の入力端子１から並列トラップ回路６までの選択度特性は、図２に示すように、ほぼ５４ＭＨｚ以上の周波数帯を通過するとともに５４ＭＨｚ以下の周波数で急峻に減衰させ、特にテレビジョンの中間周波帯（米国仕様ではほぼ４１ＭＨｚ〜４６ＭＨｚ）と、トランシ−バ−で使用している市民バンド（２６ＭＨｚ）での減衰を大きくし、中間周波帯でほぼ５５ｄＢ以上の減衰を得るとともに２６ＭＨｚではそれ以上の減衰を得るようにしている。
一方、第二の入力端子９に入力されているＦＭ放送信号は第二のスイッチダイオ−ド２７が非導通状態であるためにＶＨＦ入力同調回路７へは導入されないようになっている。
【００２５】
そして、テレビジョン信号のうち、ハイバンドのテレビジョン信号を受信するときは、ハイバンド切り替え端子４５にハイバンド切り替え電圧を印加（この時はロ−バンド切り替え端子４７にはロ−バンド切り替え電圧を印加せず）して第三のスイッチダイオ−ド４２と第四のスイッチダイオ−ド４３とをともに導通状態として同調インダクタ３３と同調インダクタ３６とを高周波的に並列に接続し、ＶＨＦ入力同調回路７の同調周波数を高くする。
【００２６】
また、ロ−バンドのテレビジョン信号を受信するときは、ロ−バンド切り替え端子４７にロ−バンド切り替え電圧を印加（この時はハイバンド切り替え端子４５にはハイバンド切り替え電圧を印加せず）して第三のスイッチダイオ−ド４２と第四のスイッチダイオ−ド４３とをともに非導通状態として同調インダクタ３３から同調インダクタ３６を高周波的に切り離して、ＶＨＦ入力同調回路７の同調周波数を低くする。
【００２７】
そして、ハイバンドのテレビジョン信号、あるいはロ−バンドのテレビジョン信号を受信するときに、同調電圧端子４９からの同調電圧によってバラクタダイオ−ド３７の容量値が変えられ、５４ＭＨ以上の周波数に割り当てられたロ−バンドあるいはハイバンドの各チャンネルのテレビジョン信号周波数に同調可能なようになっている。
【００２８】
一方、ＦＭ放送を受信するときは、ハイバンド切り換え端子４５にはハイバンド切り換え電圧を印加せず、ロ−バンド切り換え端子４７とＦＭ切り換え端子３２とにそれぞれロ−バンド切り換え電圧とＦＭ切り替え電圧を印加する。これによって第三のスイッチダイオ−ド４２および第四のスイッチダイオ−ド４３には逆バイアス電圧が加わってこれらのスイッチダイオ−ド４２、４３が非導通となり、ＶＨＦ入力同調回路７はロ−バンドのテレビジョン信号を受信するときと同じ状態になる。また、ＦＭ切り換え端子３２に印加されたＦＭ切り換え電圧によって、抵抗３１、第二の直列型の誘導Ｍ型ハイパスフィルタ１１を構成する第二のインダクタ２２、第二のスイッチダイオ−ド２７、抵抗３０、第一のシャントインダクタ１５を通して電流が流れて第二のスイッチダイオ−ド２７が導通状態となる。これによって、第一のスイッチダイオ−ド２６のカソ−ドには逆バイアス電圧が加わるので第一のスイッチダイオ−ド２６は非導通状態となる。従って、テレビジョン信号入力回路１９は、ＦＭ放送信号入力回路２５およびＶＨＦ入力同調回路７から高周波的に切り離されて第一の入力端子１に入力されているテレビジョン信号は、第一のスイッチダイオ−ド２６によってＶＨＦ入力同調回路７への導入が阻止される。一方、第二の入力端子９に入力されているＦＭ放送信号が第二の定Ｋ型ハイパスフィルタ１０、第二の直列型の誘導Ｍ型ハイパスフィルタ１１、第二のスイッチダイオ−ド２７、並列トラップ回路６を介してＶＨＦ入力同調回路７に入力される。
【００２９】
この結果、第二の定Ｋ型ハイパスフィルタ１０、第二の直列型の誘導Ｍ型ハイパスフィルタ１１、並列トラップ回路６とによる全体の選択度特性は、図３に示すように、ほぼ８５ＭＨｚ以上の周波数を通過させるとともに８５ＭＨｚ以下の周波数で減衰し、特に、第二の直列型の誘導Ｍ型ハイパスフィルタ１１を構成している直列トラップ回路２４によってほぼ７５ＭＨｚ付近を５５ｄＢ以上減衰させるとともに並列トラップ回路６によって４６ＭＨｚ付近をそれ以上減衰させるようにしている。従って、テレビジョンの中間周波数帯の妨害信号は並列トラップ回路６によってＶＨＦ入力同調回路７へに進入が阻止される。また、第一の入力端子１に入力されているテレビジョン信号が非導通状態にある第一のスイッチダイオ−ド２６を漏洩してＶＨＦ入力同調回路７に進入しようとしても、ＦＭ放送信号入力回路２５に設けられた直列トラップ回路２４によってＦＭの放送周波数帯に近いロ−バンドのテレビジョン信号を減衰するのでテレビジョン信号からの妨害を受けないようになっている。
そして、ＶＨＦ入力同調回路７に入力されたＦＭ放送信号は、ロ−バンドのテレビジョン信号の受信時と同様に同調電圧端子４９からの同調電圧によってＶＨＦ入力同調回路で選択される。
【００３０】
また、図示はしないが、ＶＨＦ高周波増幅器２の後段には第一の混合回路、第一の局部発振回路等が接続されている。そして、ＶＨＦ高周波増幅回路２から出力されるテレビジョン信号が第一の混合回路で４０ＭＨｚ帯の中間周波数に周波数変換されてテレビジョンの映像信号が得られる。なお、第一の混合回路の後段に図示しない第二の混合回路等を設けて、この中間周波数を、さらに一般のＦＭ受信機で使用している１０．７ＭＨｚのＦＭの中間周波数に変換すれば、ＦＭ受信機で使用されているＦＭ検波が可能となり、周知の技術で簡単にＦＭ放送を聞くことができる。
【００３１】
【発明の効果】
以上のように、本発明は、テレビジョン信号入力回路とＶＨＦ入力同調回路との間に第一のスイッチダイオードを介挿すると共に、ＦＭ放送信号入力回路とＶＨＦ入力同調回路との間に第二のスイッチダイオードを介挿し、バンド切り換えのためのスイッチダイオードのアノード又はカソードにバンド切り換え電圧を印加し、第一のダイオードのカソードと第二のスイッチダイオードのカソードとを互いに接続すると共に抵抗を介して接地し、第一のスイッチダイオードのアノードとバンド切り換えのためのスイッチダイオードのカソードとを互いに接続し、第二のスイッチダイオードのアノードにはＦＭ放送信号受信時にＦＭ切り換え電圧を印加したので、バンド切り換え用のスイッチダイオードのオンに連動して第一のスイッチダイオードが自動的にオンとなってテレビジョン信号がＶＨＦ入力同調回路に入力される。この時、第二のスイッチダイオードのカソードには逆バイアス電圧が印加されるのでこれがオフとなり、ＦＭ放送信号入力回路はテレビジョン信号入力回路およびＶＨＦ入力同調回路から自動的に切り離される。
また、ＦＭ放送信号を受信するときに第二のスイッチダイオードをオンにすれば、第一のスイッチダイオードのカソードに逆バイアス電圧が印加されるのでこれが自動的にオフとなってテレビジョン信号入力回路はＦＭ放送信号入力回路およびＶＨＦ入力同調回路から切り離される。よって、テレビジョン信号とＦＭ放送信号とを互いに干渉しあうことなく受信できる。
【００３２】
また、第一のスイッチダイオ−ドのカソ−ドと第二のスイッチダイオ−ドのカソ−ドとの接続点とＶＨＦ入力同調回路との間にテレビジョンの中間周波数帯を減衰する中間周波トラップ回路を設けたので、中間周波トラップ回路をテレビジョン信号の受信時とＦＭ放送信号の受信時とに共有することができる。
【図面の簡単な説明】
【図１】本発明のテレビジョン信号受信チュ−ナの回路図である。
【図２】本発明のテレビジョン信号受信チュ−ナにおける入力回路部の選択度特性図である。
【図３】本発明のテレビジョン信号受信チュ−ナにおける入力回路部の選択度特性図である。
【図４】従来のテレビジョン信号受信チュ−ナの回路図である。
【図５】従来のテレビジョン信号受信チュ−ナにおける入力回路部の選択度特性図である。
【符号の説明】
１  第一の入力端子
２  ＶＨＦ高周波増幅回路
３  並列型の誘導Ｍ型ハイパスフィルタ
４  第一の定Ｋ型ハイパスフィルタ
５  第一の直列型の誘導Ｍ型ハイパスフィルタ
６  並列トラップ回路（第二の中間周波トラップ回路）
７  ＶＨＦ入力同調回路
８  ＵＨＦ入力同調回路
９  第二の入力端子
１０  第二の定Ｋ型ハイパスフィルタ
１１  第二の直列型の誘導Ｍ型ハイパスフィルタ
１２  第一のインダクタンス
１３  第一のコンデンサ
１４  第一の中間周波トラップ回路
１５  第一のシャントインダクタ
１６  第一の直列コンデンサ
１７  インダクタ
１８  コンデンサ
１９  テレビジョン信号入力回路
２０  第二のシャントインダクタ
２１  第二の直列コンデンサ
２２  第二のインダクタ
２３  第二のコンデンサ
２４  直列トラップ回路
２５  ＦＭ放送信号入力回路
２６  第一のスイッチダイオ−ド
２７  第二のスイッチダイオ−ド
２８  第三のインダクタ
２９  第三のコンデンサ
３０、３１、４４、４６、４８  抵抗
３２  ＦＭ切り換え端子
３３、３４、３５、３６  同調インダクタ
３７  バラクタダイオ−ド
３８、３９  直流阻止コンデンサ
４０  結合インダクタ
４１  結合コンデンサ
４２  第三のスイッチダイオ−ド
４３  第四のスイッチダイオ−ド
４５  ハイバンド切り換え端子
４７  ローバンド切り換え端子
５０  同調電圧端子
【図１】
0003547292.tif 000002
【図２】
0003547292.tif 000003
【図３】
0003547292.tif 000004
【図４】
0003547292.tif 000005
【図５】
0003547292.tif 000006